(57)【要約】【課題】  天候や日射量に応じた太陽電池の出力変化にかかわらず、その太陽電池の出力を最大限に効率良く使用しながら室内の快適環境を得ることが可能な空気調和機を提供する。【解決手段】  補助電源として太陽電池４１を備え、消費電流が異なる複数の運転パターンのうち、太陽電池４１の出力に見合う運転パターンを選択する発電自動運転を実行する。【選択図】      図１
2005201543.tif 000002
【特許請求の範囲】
【請求項１】
消費電流が異なる複数の運転パターンを有する空気調和機において、
この空気調和機に電力を供給する太陽電池と、前記各運転パターンのうち前記太陽電池の出力に見合う運転パターンを選択する発電自動運転を実行する制御手段と、を備えたことを特徴とする空気調和機。
【請求項２】
前記制御手段は、発電自動運転時、消費電流の少ない運転パターンから消費電流の多い運転パターンへと徐々に移行し、前記太陽電池の出力電圧が低下した時点で、その時点の運転パターンを一定時間継続してから、１つ前の運転パターンに戻ることを特徴とする請求項１に記載の空気調和機。
【請求項３】
前記制御手段は、発電自動運転時、前記太陽電池の出力の増減にかかわらず室内への吹出風の方向を一定に保つことを特徴とする請求項１に記載の空気調和機。
【発明の詳細な説明】
【技術分野】
【０００１】
この発明は、補助電源として太陽電池を備えた空気調和機に関する。
【背景技術】
【０００２】
太陽電池および空気清浄機を備え、太陽電池の出力電圧が所定値を超えているときに、その太陽電池の出力を空気清浄機の集塵ユニットに供給してイオン風運転（ファン停止）を実施する空気調和機がある（例えば特許文献１）。
【０００３】
一方、太陽電池を有していないが、室内空気を室外に排出する排気装置および室内空気のごみや埃を取り除く電気集塵機を備えた空気調和機がある（例えば特許文献２）。
【特許文献１】特開平１１−３０９３８６号公報
【特許文献２】特開２００３−３２２３５９号公報
【発明の開示】
【発明が解決しようとする課題】
【０００４】
上記の太陽電池および空気清浄機を備えた空気調和機の場合、太陽電池は空気清浄機の電源として使用されているだけである。しかも、天候が悪かったり日射量が少なくて太陽電池の出力電圧が低下した場合は空気清浄機は運転されず、少量ながらも生じる太陽電池のせっかくの発電出力が何も利用されない。
【０００５】
この発明は上記の事情を考慮したもので、その目的は、天候や日射量に応じた太陽電池の出力変化にかかわらず、その太陽電池の出力を最大限に効率良く使用しながら室内の快適環境を得ることが可能な空気調和機を提供することにある。
【課題を解決するための手段】
【０００６】
請求項１に係る発明の空気調和機は、消費電流が異なる複数の運転パターンを有するものであって、この空気調和機に電力を供給する太陽電池と、前記各運転パターンのうち前記太陽電池の出力に見合う運転パターンを選択する発電自動運転を実行する制御手段と、を備えている。
【発明の効果】
【０００７】
この発明によれば、太陽電池の出力に見合う発電自動運転の機能を備えることにより、天候や日射量に応じた太陽電池の出力変化にかかわらず、その太陽電池の出力を最大限に効率良く使用しながら室内の快適環境を得ることが可能な空気調和機を提供できる。
【発明を実施するための最良の形態】
【０００８】
［１］第１の実施形態  
以下、この発明の第１の実施形態について図面を参照して説明する。まず、室内機の内部および換気ユニットを図１に示している。  
１は室内機で、開閉自在な前面パネル１ａに吸込口２、上面部に吸込口３、下面部に吹出口４を有し、吸込口２，３から吹出口４にかけて通風経路を形成している。前面パネル１ａの吸込口２には、運転／停止時に通風路を閉止するための開閉パネル２ａが設けられている。吹出口４には前後２枚の上下風向板いわゆるルーバ５が設けられている。ルーバ５は、吹出風の上下方向調節手段として機能するほかに、吹出口４を開閉するカバーとしても機能する。
【０００９】
吸込口２，３から吹出口４にかけての通風経路には、室内熱交換器６および室内ファン７が配設され、さらに吸込口２と室内熱交換器６との間に空気を清浄する電気集塵機８が設けられている。室内ファン７は、室内空気を吸込口２，３を通して吸込み、その吸込み空気を電気集塵機８および室内熱交換器６に通して吹出口４から室内に吹出す。室内空気は、電気集塵機８および室内熱交換器６を通って循環することになる。
【００１０】
電気集塵機８は、通過する空気に含まれている“ごみ”“埃”“塵”などの粒子に電荷を加える電離部および帯電された粒子を吸着するための電荷を加える集塵部からなる２段式の電極部を有し、吸込み空気から“ごみ”“埃”“塵”を除去する本来の電気集塵機として機能する。
【００１１】
吸込口２と電気集塵機８との間に、室内の環境を検知する検知手段として、室内温度センサ１１、室内湿度センサ１２、ガスセンサ（汚れ検知手段）１３が設けられている。これらセンサ１１，１２，１３の配設位置は、室内ファン７の運転時に室内空気の通風路となり、換気ユニット２０の運転時にも室内空気の通風路となる。これらセンサにより、室内空気の温度・湿度・汚れをそれぞれ検知することができる。
【００１２】
室内熱交換器６の下流側の通風経路に臨む位置に換気ユニット２０が設けられている。換気ユニット２０は、換気ファンおよび吸込口２１，２２を備え、室内熱交換器６を経た空気を吸込口２１から取込んで当ユニットに連結されている換気ダクト２４により室外に排出する室内機内空気排出用流路を有するとともに、電気集塵機８よび室内熱交換器６に流入する前の室内空気を吸込口２２から取込んで換気ダクト２４により室外に排出する室内空気排出用流路を有している。また、換気ユニット２０は、流路開閉用のダンパ２３を内蔵し、上記２つの流路のいずれか一方のみ開放して他方を閉塞する機能、２つの流路を共に閉塞する機能などを有している。換気ダクト２４は、住居の壁面等を通して室外に導出されている。
【００１３】
冷凍サイクルおよび制御回路の構成を図２に示している。  
室外機３０は、圧縮機３１、四方弁３２、室外熱交換器３３、減圧器たとえば電子膨張弁３４、室外ファン３５などを有している。圧縮機３１は、冷媒を吸込口から吸込み、その吸込んだ冷媒を圧縮して吐出口から吐出する。この圧縮機３１の吐出口に四方弁３２を介して室外熱交換器３３が配管接続され、その室外熱交換器３３に電子膨張弁３４を介して上記室内熱交換器６が配管接続されている。そして、室内熱交換器６に四方弁３２を介して圧縮機３１の吸込口が配管接続されている。
【００１４】
冷房運転時は、圧縮機３１から吐出された冷媒が図示実線矢印の方向に流れ、室外熱交換器３３が凝縮器、室内熱交換器６が蒸発器として機能する。暖房運転時は、四方弁３２が切換わることにより、圧縮機３１から吐出された冷媒が図示破線矢印の方向に流れ、室内熱交換器６が凝縮器、室外熱交換器３３が蒸発器として機能する。
【００１５】
上記室内制御器４０は、室内機１を制御する。この室内制御器４０に、ルーバモータ５M、室内ファンモータ７M、電気集塵機８、室内温度センサ１１、室内湿度センサ１２、ガスセンサ１３、換気ユニット２０、太陽電池（太陽電池モジュールともいう）４１、運転切換スイッチ（操作手段）４２、および受光部４３が接続されている。太陽電池４１は、光を受けることにより発電し、受光量に応じた所定の電圧を出力するもので、図４に示すように、所定の電流消費に伴って発電電圧が急に低下する特性を有している。運転切換スイッチ４２は、後述の通常運転モードおよび発電自動運転モードのいずれかの実行を指定するために用意されている。受光部４３は、運転条件設定用のリモートコントロール式の操作器（リモコンという）４４から発せられる赤外線光を受光する。
【００１６】
リモコン４４は、文字や画像をドットパターンで表示する液晶表示部を備えるとともに、エアコン運転／停止（冷房・暖房）、空気清浄運転／停止、除湿運転／停止、タイマ運転、室内温度、快眠運転、室内湿度、風量、風向、ルーバスイング、切タイマ時間設定、タイマ予約、自動換気運転など通常運転モードに関する各種運転条件を設定する複数の操作釦を有するほかに、上記太陽電池の出力電圧に見合う発電自動運転モードの設定釦を有している。なお、自動換気運転は、換気ユニット２０の運転／停止および排出量を、上記各センサの検知結果に応じて制御する運転のことである。
【００１７】
また、室内制御器４０に、室外制御器５０が接続されている。室外制御器５０は、室外機３０を制御する。この室外制御器５０に、四方弁３２、電子膨張弁３４、室外ファン３５、およびインバータ５１が接続されている。インバータ５１は、商用交流電源６０の交流電圧を整流し、その整流後の電圧を室外制御器５０からの指令に応じた周波数の交流電圧に変換し、出力する。この出力が圧縮機３１に対する駆動電力となる。
【００１８】
商用交流電源６０の交流電圧は、室内制御器４０にも動作用として供給される。この室内制御器４０の要部の構成を図３に示す。  
商用交流電源６０の電圧（例えば１００Ｖ）がヒューズ６１を介してダイオードブリッジの整流回路６２が供給され、その整流回路６２の出力電圧が平滑用コンデンサ６３で平滑される。平滑された直流電圧は、自励式のＤＣ−ＤＣコンバータ６４によって例えば１２Ｖの直流電圧に変換される。この直流電圧が、電気集塵機８および主制御部６５に動作用電圧として供給される。主制御部６５は、ＣＰＵおよびその周辺回路からなる。
【００１９】
主制御部６５には、上記した電気集塵機８、室内温度センサ１１、室内湿度センサ１２、ガスセンサ１３、運転切換スイッチ４２、受光部４３、インバータ５１が接続されているほかに、リレー６６，６７、速度切換回路６８，６９が接続されている。リレー６６は常開接点６６ａを有し、その常開接点６６ａが商用交流電源６０とインバータ５１との間の通電路に挿接されている。速度切換回路６８は、整流回路６２の出力電圧を主制御部６５からの指令に応じたレベル（高・中・低）の電圧に変換して出力する。この出力が室内ファンモータ７Ｍに供給される。速度切換回路６９は、換気ファンモータ２０Ｍの各速度タップに対する通電を切換える。
【００２０】
また、上記太陽電池４１の出力電圧が、逆流防止用ダイオード７４および上記リレー６６の常開接点６７ａを介して整流回路６２の出力端に印加される。そして、太陽電池４１の出力端に電圧検出回路７０が接続されている。電圧検出回路７０は、太陽電池４１の出力電圧が印加される抵抗器７１，７２の直列回路、その抵抗器７２の両端に接続されたフォトカプラ（発光ダイオード）７３を有し、太陽電池４１の出力電圧レベルが予め定められている設定値以上になるとその旨の信号を出力する。この出力信号が主制御部６５に供給される。
【００２１】
太陽電池４１の出力電圧は、予め整流回路６２の出力電圧よりも高めに設定されている。したがって、太陽電池４１の出力電圧が十分ある場合は太陽電池４１の出力電圧が負荷側に供給されるが、負荷電流が増加して太陽電池４１の出力電圧が下がり、整流回路６２の出力電圧と同じになれば、太陽電池４１の出力から不足する電流分だけ商用交流電源６０に基づく整流回路６２の出力から供給される。この際、太陽電池４１の出力電圧は整流回路６２の出力電圧と同じ値となる。
【００２２】
つぎに、上記の構成の作用を図５のフローチャートを参照しながら説明する。  
運転切換スイッチ４２またはリモコン４４で通常運転モードが選択されている場合は、エアコン運転／停止（冷房・暖房）、空気清浄運転／停止、除湿運転／停止、タイマ運転、快眠運転、ルーバスイング、自動換気運転などの通常運転が実行される。
【００２３】
運転切換スイッチ４２またはリモコン４４で発電自動運転モードが選択されると、ルーバ５が空気清浄に適した所定開度に開かれ、一旦、全ての運転が停止されるとともに、リレー６７が付勢されてその常開接点６７ａが閉じる。この状態で、太陽電池４１の出力電圧が予め定められている設定値以上であれば、すなわち消費されている電力が太陽電池４１の出力で全て賄われる状態にあれば、その旨の信号が電圧検出回路７０から主制御部６５に供給される。この供給に基づき、消費電流が最も小さい運転パターンとして“モード１”の運転が実行される。
【００２４】
“モード１”の運転では、主制御部６５から電気集塵機８に動作開始が指令される。この場合、太陽電池４１の出力電圧が整流回路６２の出力端に印加され、その印加電圧は整流回路６２の出力電圧よりもレベルが高い。したがって、レベルが高い方の太陽電池４１の出力電圧がＤＣ−ＤＣコンバータ６４で直流電圧に変換され、そのＤＣ−ＤＣコンバータ６４の出力によって電気集塵機８が動作する。
【００２５】
こうして、電気集塵機８が動作することにより、室内空気中の“ごみ”“埃”“塵”が取り除かれる。
【００２６】
“モード１”の運転に入ってからしばらくの時間が経過した後、太陽電池４１の出力電圧が引き続き設定値以上であれば（電圧検出回路７０で検出されている）、“モード１”よりも１ステップ分だけ消費電流の多い運転パターンとして“モード２”の運転が実行される。
【００２７】
“モード２”の運転では、主制御部６５から電気集塵機８に動作開始が指令されつつ、主制御部６５から速度切換回路６８に低速度出力が指令される。すなわち、室内ファン７が低速度回転するとともに、電気集塵機８が動作する。
【００２８】
こうして、室内ファン７が低速度回転しながら電気集塵機８が動作することにより、室内空気が室内機１に吸込まれながら、その吸込み空気中の“ごみ”“埃”“塵”が取り除かれる。
【００２９】
ただし、“モード１”の運転に入ってからしばらくの時間が経過した後、太陽電池４１の出力電圧が設定値未満に低下していれば（電圧検出回路７０で検出される）、すなわち消費されている電力が太陽電池４１で賄いきれずに商用交流電源６０に基づく整流回路６２の出力からも供給されるようになると、同じ“モード１”の運転が一定時間だけ継続されてから、１つ前の運転パターンとして、電気集塵機８の動作が停止される。
【００３０】
電気集塵機８の動作停止からしばらくの時間が経過した後、太陽電池４１の出力電圧が設定値以上に回復すると、“モード１”の運転が再び実行される。
【００３１】
一方、“モード２”の運転に入ってからしばらくの時間が経過した後、太陽電池４１の出力電圧が引き続き設定値以上を維持していれば、“モード２”よりも１ステップ分だけ消費電流の多い運転パターンとして“モード３”の運転が実行される。
【００３２】
“モード３”の運転では、主制御部６５から電気集塵機８に動作開始が指令されつつ、主制御部６５から速度切換回路６８に中速度出力が指令される。すなわち、室内ファン７が中速度回転するとともに、電気集塵機８が動作する。
【００３３】
こうして、室内ファン７が中速度回転しながら電気集塵機８が動作することにより、さらに多くの室内空気が室内機１に吸込まれながら、その吸込み空気中の“ごみ”“埃”“塵”が取り除かれる。
【００３４】
ただし、“モード２”の運転に入ってからしばらくの時間が経過した後、太陽電池４１の出力電圧が設定値未満に低下していれば、同じ“モード２”の運転が一定時間だけ継続されてから、１つ前の運転パターンである“モード１”の運転に戻る。
【００３５】
また、“モード３”の運転に入ってからしばらくの時間が経過した後、太陽電池４１の出力電圧が引き続き設定値以上を維持していれば、そのまま“モード３”の運転が継続される。
【００３６】
ただし、“モード３”の運転に入ってからしばらくの時間が経過した後、太陽電池４１の出力電圧が設定値未満に低下していれば、同じ“モード３”の運転が一定時間だけ継続されてから、１つ前の運転パターンである“モード２”の運転に戻る。同じモードの運転が一定時間だけ継続されることにより、太陽電池４１に雲がかかるなどして太陽電池４１の出力電圧が低下しても、一定時間の間であれば、モードは変更されず、室内ファン７の風量は変わらない。この制御によって風量が頻繁に変わると、それに伴う送風音や風量の変化が居住者に不快感を与える可能性があるが、そのような不具合を未然に防止することができる。なお、この一定時間の運転継続に際し、太陽電池４１の出力電圧が整流回路６２の出力電圧よりも低下した場合は、その間だけ整流回路６２の出力が使用される。なお、電圧検出回路７０の出力に同期させて即座にモードを切り替えれば、完全に太陽電池４１のみの出力で賄いきれる消費電力の運転パターンが選定される。その結果、商用交流電源６０からの電力供給をほぼ零にすることも可能である。
【００３７】
このように、発電自動運転では、太陽電池４１の出力に見合うように電気集塵機８および室内ファン７が選択的に動作し且つ室内ファン７の速度が切換わることにより、太陽電池４１の発電量でまかない得る範囲内で、最大の効果が得られる空調が実施される。したがって、特に、使用者が外出して留守の場合などでは、太陽電池４１の出力を最大限に効率良く使用しながら室内の快適環境を最適化することができる。この際、商用交流電源６０の電力を使用しないことも含め、省エネルギ効果が得られる。
【００３８】
ルーバ５は、太陽電池４１の発電量の増減にかかわらず、発電自動運転の選択時は一定の開状態を維持する。これにより、雲などの影響で太陽電池４１の発電量が増減し、運転のオンとオフが繰り返されたとしても、ルーバ５が頻繁に開閉動作を繰り返すことはなく、室内への吹出風の方向が空気清浄に適した一定の状態たとえば斜め下方向に保たれる。
【００３９】
なお、運転パターンの数として“モード１”“モード２”“モード３”を用意したが、その個数に限定はない。
【００４０】
一方、通常運転の場合も、リレー６７ａが付勢されて常開接点６７ａが閉じ、太陽電池４１の出力電圧が整流回路６２の出力系統に印加される。発電自動運転および通常運転のいずれにおいても、図６に示すように、太陽電池４１の発電量が十分でその出力電圧が商用交流電源６０に基づく整流回路６２の出力電圧よりも高ければ、太陽電池４１の出力電圧によって室内機１が運転され、室内機１の負荷電流が増大して、太陽電池４１の発電量では運転を賄い切れない状態になると、太陽電池４１の出力電圧は整流回路６２の出力電圧と同じレベルまで低下する。この状態では、太陽電池４１の出力が最大限負荷に供給されつつ、不足分の電力が商用交流電源６０によって賄われる。
【００４１】
（２）第２の実施形態について図７のフローチャートにより説明する。  
運転切換スイッチ４２またはリモコン４４で発電自動運転モードが選択されると、ルーバ５が空気清浄に適した所定開度に開かれ、一旦、全ての運転が停止される。この状態で、太陽電池４１の出力電圧が予め定められている設定値以上であれば、その旨の信号が電圧検出回路７０から主制御部６５に供給される。この供給に基づき、ガスセンサ１３によって室内空気の汚れが検出される。
【００４２】
ガスセンサ１３の検出値がある値以上であれば、太陽電池４１の出力電圧により電気集塵機８および室内ファン７が動作して、空気清浄運転が実施される。この空気清浄運転により、室内空気中の“ごみ”“埃”“塵”が取り除かれる。
【００４３】
ガスセンサ１３の検出値がある値未満の場合は、太陽電池４１の出力電圧により換気ファンモータ２０Ｍが動作して、換気運転が実施される。この換気運転により、室内空気が室外に排出される。
【００４４】
しばらくの時間が経過した後、太陽電池４１の出力電圧が判定される。太陽電池４１の出力電圧が設定値以上の状態にあれば、太陽電池４１の出力電圧により、電気集塵機８および室内ファン７が動作して空気清浄運転が実施され、かつ換気ファンモータ２０Ｍが動作して換気運転が実施される。この空気清浄運転および換気運転により、室内空気中の“ごみ”“埃”“塵”が取り除かれるとともに、室内空気が室外に排出される。
【００４５】
しばらくの時間が経過した後、太陽電池４１の出力電圧が再び判定される。太陽電池４１の出力電圧が設定値以上の状態を維持していれば、空気清浄運転および換気運転が継続される。ただし、太陽電池４１の出力電圧が設定値未満に低下していれば、前回の運転である空気清浄運転のみが一定時間継続される。この一定時間後、ガスセンサ１３の検出値がある値以上であれば空気清浄運転が継続され、ガスセンサ１３の検出値がある値未満であれば換気運転が実施される。
【００４６】
以後、太陽電池４１の出力電圧レベルおよびガスセンサ１３の検出値に応じて、同様の動作が繰り返される。
【００４７】
このように、太陽電池４１の出力電圧に見合うように、しかも室内空気の汚れ具合に応じて、空気清浄運転および換気運転を選択的に実施することにより、太陽電池４１の発電量でまかない得る範囲内で、最大の効果が得られる空調が実施される。したがって、天候や日射量に応じた太陽電池４１の出力変化にかかわらず、また使用者が外出して留守の場合も、太陽電池４１の出力を最大限に効率良く使用しながら室内の快適環境を得ることができる。商用交流電源６０の電力を使用しないことも含め、省エネルギ効果が得られる。
【００４８】
他の構成および作用は第１の実施形態と同じなので、その説明は省略する。
【００４９】
（３）第３の実施形態について説明する。  
この第３の実施形態では、空気調和機の例として空気清浄機を説明しており、図８の電気回路に示すように、空気清浄に必要な機器のみが搭載されている。空気清浄機は、図９に示すように、本体９０の前面に空気吸込口９１を有し、その空気吸込口９１の内側にフィルタ９２および室内ファン７を設けている。室内ファン７が動作すると、室内空気が空気吸込口９１を通して本体９０内に吸込まれ、その吸込み空気に含まれている“ごみ”“埃”“塵”がフィルタ９２で取り除かれる、フィルタ９２を通った空気は、本体９０の背面の空気排出口９３から室内に排出される。
【００５０】
図１０のフローチャートを参照しながら作用を説明する。  
運転切換スイッチ４２またはリモコン４４で通常運転モードが選択されている場合は、室内ファン７が所定速度で動作して通常の空気清浄運転が実行される。
【００５１】
運転切換スイッチ４２またはリモコン４４で発電自動運転モードが選択されると、一旦、全ての運転が停止されるとともに、リレー６７が付勢されてその常開接点６７ａが閉じる。この状態で、太陽電池４１の出力電圧が予め定められている設定値以上であれば、その旨の信号が電圧検出回路７０から主制御部６５に供給される。この供給に基づき、太陽電池４１の出力電圧により、室内ファン７が低速度で動作する（負荷小）。
【００５２】
しばらくの時間が経過した後、太陽電池４１の出力電圧が判定される。太陽電池４１の出力電圧が引き続き設定値以上の状態にあれば、太陽電池４１の出力電圧により、室内ファン７が中速度で動作する（負荷中）。ただし、太陽電池４１の出力電圧が設定値未満に低下していれば、前回の運転である室内ファン７の低速度動作が一定時間継続され、その継続後、最初の運転停止に戻る。
【００５３】
室内ファン７が中速度で動作してから、しばらくの時間が経過した後、太陽電池４１の出力電圧が再び判定される。太陽電池４１の出力電圧が設定値以上の状態を維持していれば、太陽電池４１の出力電圧により、室内ファン７が高速度で動作する（負荷大）。一方、太陽電池４１の出力電圧が設定値未満に低下していれば、室内ファン７の中速度動作が一定時間継続され、その継続後、前回の運転である室内ファン７の低速度動作（負荷小）に戻る。
【００５４】
室内ファン７が高速度で動作してから、しばらくの時間が経過した後、太陽電池４１の出力電圧が再び判定される。太陽電池４１の出力電圧が設定値以上の状態を維持していれば、室内ファン７の高速度動作が継続される（負荷大）。一方、太陽電池４１の出力電圧が設定値未満に低下していれば、室内ファン７の高速度動作が一定時間継続され、その継続後、前回の運転である室内ファン７の中速度動作（負荷中）に戻る。
【００５５】
以後、太陽電池４１の出力電圧レベルに応じて、同様の動作が繰り返される。
【００５６】
このように、太陽電池４１の出力電圧に見合うように、負荷の異なる空気清浄運転を選択的に実施することにより、太陽電池４１の発電量でまかない得る範囲内で、最大の効果が得られる空調が実施される。したがって、天候や日射量に応じた太陽電池４１の出力変化にかかわらず、また使用者が外出して留守の場合も、太陽電池４１の出力を最大限に効率良く使用しながら室内の快適環境を得ることができる。商用交流電源６０の電力を使用しないことも含め、省エネルギ効果が得られる。  
（４）なお、太陽電池４１の定格出力電圧のレベルが整流回路６２の出力電圧レベルよりも低い場合は、図３に二点鎖線で示すように、太陽電池４１の出力電圧を昇圧するための昇圧回路８０が採用される。この場合、太陽電池４１の出力電圧が低下すれば、昇圧回路８０の出力電圧も低下し、商用交流電源６０に基づく整流回路６２の出力が負荷の運転に使用される。  
その他、この発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００５７】
【図１】この発明の第１および第２の実施形態における室内機および換気ユニットの構成を示す図。
【図２】第１および第２の実施形態における冷凍サイクルおよび制御回路の構成を示すブロック図。
【図３】第１および第２の実施形態における室内制御器の要部の構成を示すブロック図。
【図４】各実施形態における太陽電池の特性を示す図。
【図５】第１の実施形態の作用を説明するためのフローチャート。
【図６】第１の実施形態における太陽電池の出力電圧の変化を示す図。
【図７】第２の実施形態の作用を説明するためのフローチャート。
【図８】第３の実施形態における電気回路のブロック図。
【図９】第３の実施形態の構成を概略的に示す図。
【図１０】第３の実施形態の作用を説明するためのフローチャート。
【符号の説明】
【００５８】
１…室内機、２…吸込口、３…吸込口、４…吹出口、５…ルーバ（風向調整板）、６…室内熱交換器、７…室内ファン、８…電気集塵機、１１…室内温度センサ、１２…室内湿度センサ、１３…ガスセンサ、２０…換気ユニット、３１…圧縮機、３２…四方弁、３３…室外熱交換器、３４…電子膨張弁、４０…室内制御器、４１…太陽電池、４２…運転切換スイッチ、４４…リモコン（操作手段）、６０…商用交流電源、６５…主制御、７０…電圧検出回路
【図１】
2005201543.tif 000003
【図２】
2005201543.tif 000004
【図３】
2005201543.tif 000005
【図４】
2005201543.tif 000006
【図５】
2005201543.tif 000007
【図６】
2005201543.tif 000008
【図７】
2005201543.tif 000009
【図８】
2005201543.tif 000010
【図９】
2005201543.tif 000011
【図１０】
2005201543.tif 000012